(57)【特許請求の範囲】
【請求項１】
紙幣を収納待機位置まで搬送する紙幣搬送手段および紙幣搬送路と、
紙幣を前記収納待機位置で停止するように前記紙幣搬送手段を制御する紙幣停止位置制御手段と、
前記収納待機位置にある紙幣を該紙幣の平面に略垂直な方向に押し込んで積載収納する紙幣収納手段および紙幣収納部と、
前記紙幣収納手段に設けられ、前記収納待機位置にある紙幣の一方の平面に当接するリフトテーブルと、
前記リフトテーブルを前記紙幣の平面に略垂直な方向に移動するためのパンタグラフ構造の交叉するリンク機構と、
前記リンク機構を駆動するための駆動部と、
前記リフトテーブルを常時待機状態を維持する方向に付勢する付勢手段と、
前記駆動部に設けられ、前記リフトテーブルの移動方向に直交する方向に往復スライド移動し、前記リンク機構の交叉点に配したスタックローラを移動させるスタックアームとを具備した紙幣処理装置であって、
前記リフトテーブルと前記スタックアームとの間に、待機状態で前記リフトテーブルの移動を阻止する方向に係合し、かつ、前記スタックアームが移動して前記スタックローラに当接するまでの間に係合解除する係合機構と、
待機状態で前記係合機構が正常に係合していない状態を検知する係合異常検知手段と、
前記係合異常検知手段で係合異常を検知した際に、前記係合機構の係合動作をやり直す係合やり直し手段とを設けたことを特徴とする紙幣処理装置。
【請求項２】
前記係合やり直し手段は、前記リフトテーブルを前記係合機構の係合開始以前の状態まで移動する係合解除動作と、該係合解除動作で移動した分だけ前記リフトテーブルを前記係合機構の係合方向に戻す再係合動作とを行わせる係合制御部であることを特徴とする請求項１に記載の紙幣処理装置。
【発明の詳細な説明】
【技術分野】
【０００１】
本発明は、自動販売機、ゲーム機器等の機器に搭載される紙幣処理装置を構成し、リフトテーブルによる押圧で紙幣を収納する紙幣収納手段に関し、特に、リフトテーブルの待機状態を維持する技術に関する。
【背景技術】
【０００２】
一般に、紙幣を取り扱う自動販売機等の機器本体内部には、投入された紙幣が真券であるか否かを判別するとともに、真券と判別された紙幣のみを積載収容するようにした紙幣処理装置が搭載されている。
【０００３】
この紙幣処理装置は、大別すると、紙幣投入口から投入された紙幣を装置本体内部へ搬送する紙幣搬送手段および紙幣搬送路と、搬送された紙幣の真偽を識別する紙幣識別手段を有する紙幣識別部と、真券と判別された紙幣を積載収容する紙幣収納手段を有する紙幣収納部とを有して構成されるものであり、例えば、特許文献１（特開平７−２７２０６３号公報）等に示すように、紙幣識別部と紙幣収納部とが一体的に設けられるものが開発されている。
【０００４】
上記紙幣処理装置の紙幣収納手段は、紙幣搬送路に連通するリフトテーブルと、該リフトテーブルの水平姿勢を維持したまま垂直方向へ上下動させるパンタグラフ構造のリンク機構と、該リンク機構を駆動させる駆動部とからなるものが一般的である。
【０００５】
そして、前記リンク機構における交叉するリンクアームの交叉点にスタックローラを配し、該スタックローラに接する傾斜面を有したスタックアームを具え、該スタックアームを往復スライド移動させた際に、前記スタックローラが前記傾斜面によって、前記往復スライド移動の方向に垂直な方向に移動して、前記リフトテーブルを往復移動させるものである。
【０００６】
そして、該リフトテーブルが、前記紙幣搬送路内の収納待機位置にある紙幣を押圧することによって、前記リフトテーブルの前記紙幣搬送路に対して対向する位置に配設した紙幣収納部に収納するものである。
【０００７】
ところで、紙幣受入および搬送可能な待機状態において、前記リフトテーブルは、前記紙幣搬送路に突出しないことが重要であり、前記リフトテーブルの初期位置に維持するために、前記リフトテーブルと装置内部の所定の位置との間に引張スプリングを設けている。
【先行技術文献】
【特許文献】
【０００８】
【特許文献１】特開平７−２７２０６３号公報
【発明の概要】
【発明が解決しようとする課題】
【０００９】
しかしながら、従来の紙幣処理装置では、前記リフトテーブルの待機状態において、外部から何らかの衝撃が加わった場合に、前記リフトテーブルが引張スプリングの引張力に抗して紙幣搬送路内に突出した状態で待機することにより、該紙幣識別装置に挿入された識別対象紙幣が収納部に搬送する際に紙幣詰まりになる虞がある。
【００１０】
このため、外部からの衝撃によって、前記リフトテーブルの待機位置が移動することなく、その待機状態を確実に維持することが必要となる。この場合、前記リフトテーブルと前記スタックアームとの間に、待機状態で前記リフトテーブルの移動を阻止する方向に係合する係合機構を設けることで解決することができる。つまり、係合機構は、待機状態においてスタックアームとリフトテーブルとを機械的に連結するものである。
【００１１】
ところが、このように係合機構を設けた場合にも、係合機構が係合開始される際に、外部から何らかの衝撃が加わった場合に、係合機構の係合が正常に行われない虞がある。
【００１２】
このように、係合機構の係合が正常に行われない異常時には、前記リフトテーブルの待機状態での位置が所定位置から外れて紙幣搬送路内に突出し、後続の紙幣挿入によって紙幣詰まりが起こってしまう。
【００１３】
そこで、本発明は、かかる従来の問題点に鑑みて、係合機構が待機状態で正常に係合されない場合に、その係合動作をやり直すことによりリフトテーブを所定位置に維持できるようにした紙幣処理装置を提供するものである。
【課題を解決するための手段】
【００１４】
本発明にかかる紙幣処理装置の第１の手段は、紙幣を収納待機位置まで搬送する紙幣搬送手段および紙幣搬送路と、
紙幣を前記収納待機位置で停止するように前記紙幣搬送手段を制御する紙幣停止位置制御手段と、
前記収納待機位置にある紙幣を該紙幣の平面に略垂直な方向に押し込んで積載収納する紙幣収納手段および紙幣収納部と、
前記紙幣収納手段に設けられ、前記収納待機位置にある紙幣の一方の平面に当接するリフトテーブルと、
前記リフトテーブルを前記紙幣の平面に略垂直な方向に移動するためのパンタグラフ構造の交叉するリンク機構と、
前記リンク機構を駆動するための駆動部と、
前記リフトテーブルを常時待機状態を維持する方向に付勢する付勢手段と、
前記駆動部に設けられ、前記リフトテーブルの移動方向に直交する方向に往復スライド移動し、前記リンク機構の交叉点に配したスタックローラを移動させるスタックアームとを具備した紙幣処理装置であって、
前記リフトテーブルと前記スタックアームとの間に、待機状態で前記リフトテーブルの移動を阻止する方向に係合し、かつ、前記スタックアームが移動して前記スタックローラに当接するまでの間に係合解除する係合機構と、
待機状態で前記係合機構が正常に係合していない状態を検知する係合異常検知手段と、
前記係合異常検知手段で係合異常を検知した際に、前記係合機構の係合動作をやり直す係合やり直し手段とを設けたことを特徴とする。
【００１５】
本発明の第２の手段は、前記係合やり直し手段を、前記リフトテーブルを前記係合機構の係合開始以前の状態まで移動する係合解除動作と、該係合解除動作で移動した分だけ前記リフトテーブルを前記係合機構の係合方向に戻す再係合動作とを行わせる係合制御部としてあることを特徴とする。
【発明の効果】
【００１６】
本発明の第１の手段によれば、リフトテーブルとスタックアームとの間に、待機状態でリフトテーブルの移動を阻止する方向に係合し、かつ、スタックアームが移動してスタックローラに当接するまでの間に係合解除する係合機構を設けてある。これにより、スタックアームとリフトテーブルとを機械的に連結して、待機状態でリフトテーブルの移動を阻止することができ、外部からの衝撃によって、リフトテーブルの待機位置が移動することなく、その待機状態を維持することができる。
【００１７】
また、このように係合機構を設けた場合に、待機状態で係合機構が正常に係合していない状態を検知する係合異常検知手段と、該係合異常検知手段で係合異常を検知した際に、係合機構の係合動作をやり直す係合やり直し手段とを設けてある。これにより、係合機構が係合開始される際に、外部から何らかの衝撃が加わって係合機構の係合が正常に行われなかった場合にも、係合機構の係合動作をやり直すことにより係合機構を正常に係合させて、待機状態においてリフトテーブを所定位置に維持できる。
【００１８】
本発明の第２の手段によれば、前記係合やり直し手段は、係合解除動作と再係合動作とを行わせる係合制御部であり、係合解除動作で前記リフトテーブルを前記係合機構の係合開始以前の状態まで移動し、かつ、再係合動作で前記係合解除動作で移動した分だけ前記リフトテーブルを前記係合機構の係合方向に戻すようになっている。これにより、係合解除動作によって係合機構を衝撃が加わる以前の位置まで戻すことができるので、次の再係合動作は衝撃が加わらない状態で行うことができ、係合機構を簡単かつ確実に正常に係合させることができる。
【図面の簡単な説明】
【００１９】
【図１】図１は、本発明に係る紙幣処理装置において待機状態を示す概略側断面図である。
【図２】図２は、本発明に係る紙幣処理装置において動作途中を示す概略側断面図である。
【図３】図３は、本発明に係る紙幣処理装置において紙幣収納時を示す概略側断面図である。
【図４】図４は、本発明に係る紙幣処理装置において係合機構の係合異常状態を示す概略側面図である。
【図５】図５は、本発明に係る紙幣処理装置において紙幣挿入から収金までの正常な流れを示すフローチャートである。
【図６】図６は、図５のフローチャートにおいて正常時のスタック処理の流れを示すフローチャートである。
【図７】図７は、図５のフローチャートにおいて係合機構が異常である場合のスタック処理の流れを示すフローチャートである。
【発明を実施するための形態】
【００２０】
以下、本発明に係る紙幣処理装置の実施例を示して詳述する。
【００２１】
図１乃至図３に示す紙幣処理装置１は、紙幣投入口２から投入された紙幣を搬送する紙幣搬送手段３および紙幣搬送路４と、この紙幣搬送路４の途中に配設されて紙幣の位置を検出および紙幣の真偽を識別する図示しない紙幣識別手段を有する紙幣識別部５と真券と判別された紙幣を紙幣搬送路４の下流端における所定の位置（収納待機位置と称す）に停止させる紙幣停止位置制御手段６と、商品が購入された際に収納待機位置にある紙幣を上方から押し込んで水平に積載収納する紙幣収納手段７および紙幣収納部８とから主に構成される。
【００２２】
紙幣搬送手段３は、紙幣の両面にそれぞれ当接する搬送ベルト３１および搬送ローラ３２と、これらを駆動するモータ等の図示しない搬送駆動手段とから構成されるものであり、対向する搬送ベルト３１および搬送ローラ３２によって、紙幣投入口２を上流端とし、紙幣の待機位置を下流端とする紙幣搬送路４を形成している。
【００２３】
そして、紙幣搬送路４の下流端である収納待機位置において、紙幣の搬送方向に対して左右側には、紙幣の長手方向側縁を把持してガイドするスリット（凹溝）を有する一対のスタックガイド９が配設されている。
【００２４】
紙幣収納部８は、紙幣処理装置１本体の下部であってスタックガイド９の下方に設けられ、筐体からなるスタッカー８１と、スタッカー８１内に水平に配置される矩形の板状であって上面に紙幣を積載するスタックプレート８２と、このスタックプレート８２を下面から紙幣搬送路４方向に常時押圧する圧縮スプリング８３とを具備している。
【００２５】
他方、紙幣収納手段７は、スタックガイド９の上方に設けられ、紙幣長と略同一の長さ寸法と一対のスタックガイド９の距離幅よりも狭い幅寸法とを持つ矩形の板状に形成されて、スタックプレート８２に対向するよう水平に配置されるリフトテーブル７１と、リフトテーブル７１の水平姿勢を維持したまま垂直方向へ上下動させるパンタグラフ構造のリンク機構７２と、リンク機構７２を駆動する駆動部７３とから主に構成される。
【００２６】
リンク機構７２は、図示奥行方向に並列して配置される２組のリンク機構７２からなり、それぞれのリンク機構７２は、それぞれ交叉した第１のリンクアーム７４と第２のリンクアーム７５とを有するパンタグラフ方式の機構であって、第１のリンクアーム７４の基端７４ａと、第２のリンクアーム７５の基端７５ａとは、それぞれ紙幣収納装置１本体内部の所定の位置に回転自在に支持され、第１のリンクアーム７４の自由端７４ｂは、リフトテーブル７１の所定の位置に回転自在に支持され、第２のリンクアーム７５の自由端７５ｂは、リフトテーブル７１に沿って図示左右方向にスライド自在かつ回転自在に支持されている。
【００２７】
そして、第１のリンクアーム７４と第２のリンクアーム７５とを、交叉点において回転自在に連結しており、２組のリンクにおけるそれぞれの交叉点を鉛直軸で結ぶようにして、該鉛直軸にはスタックローラ７６を配設している。
【００２８】
駆動部７３は、図示右方側の先端に傾斜面７７ａを有するスタックアーム７７と、スタックアーム７７を図示左右方向に往復スライドさせるモーターカム７８と、モーターカム７８を回転させる図示しないスタックモータとを有し、スタックアーム７７が図示右方向に移動した際に、傾斜面７７ａがスタックローラ７６に当接し（図２）、更にスタックアーム７７が図示右方に移動した際に、傾斜面７７ａがスタックローラ７６を押圧することによって、スタックローラ７６が下方に移動し、リフトテーブル７１が下方に移動するようにしている（図３）。
【００２９】
このリフトテーブル７１が下方に移動すると、収納待機位置にある紙幣は、スタックガイド９の下面側に押し込められて、スタッカー８１内に収納された状態になるようにしている。
【００３０】
ここで、リフトテーブル７１が、図３に示す最大移動位置に到達した後、逆行を開始し、スタックガイド９まで至ると、前記紙幣の長手方向側縁部は、スタックガイド９の下面に当接してスタッカー８１内に留まる。
【００３１】
そして、スタッカー８１内に積載収納された紙幣は、圧縮スプリング８３に付勢されるスタックプレート８２により、スタックガイド９の下面に押し付けられて、スタックプレート８２の上面とスタックガイド９の下面によって押圧挟持されて、収納状態が保持されるものである。
【００３２】
更に、リフトテーブル７１と紙幣処理装置１内部の所定の位置との間には引張スプリング７９を配設して、リフトテーブル７１の下面がスタックガイド９よりも上方に位置するように常時付勢して、リフトテーブル７１を常時待機状態を維持する方向に付勢している。そして、スタックローラ７６が傾斜面７７ａによって押圧されていない状態においては、リフトテーブル７１が紙幣搬送路４内に突出しないようにしている。
【００３３】
上述のとおり、本発明のスタックアーム７７は、図１に示す待機状態において、スタックローラ７６との間に間隙を設けており、スタックアーム７７の図示右方向への移動開始から遅れて、傾斜面７７ａがスタックローラ７６に当接するようにしている。
【００３４】
また、スタックアーム７７にリフトテーブル７１の移動方向に直交する方向に突出するリブ状の突起部７７ｂを形成し、リフトテーブル７１の上面に門形状の受部７１ａを形成しており、これら突起部７７ｂと受部７１ａとによって係合機構１００が構成される。そして、待機状態においては、突起部７７ｂが受部７１ａに嵌合（係合）してリフトテーブル７１が下方に移動しないようにロックし、スタックアーム７７が図示左方にスライド移動することによってロックを解除するようにしている。
【００３５】
つまり、突起部７７ｂおよび受部７１ａは、待機状態でリフトテーブル７１の移動を阻止する方向に係合し、かつ、スタックアーム７７が移動してスタックローラ７６に当接するまでの間に係合解除されるようになっている。
【００３６】
また、スタックアーム７７には紙幣の投入口２に配したシャッター２１が連動し、スタックアーム７７の移動でシャッター２１が投入口２および搬送路４を閉塞するようになっている。シャッター２１による投入口２の開閉は、シャッターセンサ２２によって検知される。シャッターセンサ２２は、シャッター２１から突出したリブ２２ａと、このリブ２２ａの動きを検出する光スイッチ２２ｂとによって構成される。このシャッターセンサ２２は、図１に示すように、シャッター２１による投入口２の解放状態でＯＮとなり、図２、図３に示すように、閉塞状態でＯＦＦとなる。
【００３７】
他方、リフトテーブル７１の移動はキャリーセンサ９１によって検知されるようになっている。キャリーセンサ９１は、リフトテーブル７１から突出したリブ９１ａと、このリブ９１ａの動きを検出する光スイッチ９１ｂとによって構成される。このキャリーセンサ９１は、図１、図２に示すように、リフトテーブル７１の上昇位置でＯＮとなり、図３に示すように、リフトテーブル７１の下降位置でＯＦＦとなる。
【００３８】
尚、シャッターセンサ２２およびキャリーセンサ９１に光スイッチ２２ｂ、９１ｂを用いたが、これ以外にもシャッター２１およびリフトテーブル７１の動きを検知できるセンサであればよく、例えば、リミットスイッチを用いてもよい。
【００３９】
ところで、係合機構１００は、突起部７７ｂと受部７１ａが互いに係合開始される際に、外部から何らかの衝撃が加わった場合に、図４に示すように、突起部７７ｂが受部７１ａに乗り上げて係合が正常に行われない場合がある（係合異常の発生）。尚、同図ではスタックプレート８２を省略してある。
【００４０】
つまり、スタックアーム７７のスライド運動に伴ってリフトテーブル７１が移動を開始し、紙幣を紙幣収納部８に押し込んだ後に待機状態へと戻る際に、外部から衝撃が加えられると、スタックローラ７６がスタックアーム７７の傾斜面７７ａから離れてしまう。これにより、スタックアーム７７とリフトテーブル７１の動作とが連動しなくなり、突起部７７ｂが受部７１ａに乗り上げてしまう場合がある。このように、突起部７７ｂが受部７１ａに乗り上げて係合異常となることにより、リフトテーブル７１は搬送路４内に突出した状態となる。
【００４１】
機構上、正常な場合では、リフトテーブル７１はスタックアーム７７よりも早く待機位置に戻るので、係合機構１００の係合が異常である場合は、シャッターセンサ２２が所定時間内に戻ったと判断しても、リフトテーブル７１側のキャリーセンサ９１がＯＮとＯＦＦを繰り返すような不安定な状態となって所定時間内に元に戻らない。これにより、リフトテーブル７１が異常な状態となり、係合機構１００が係合異常であると判断することができる。
【００４２】
従って、本実施形態では、シャッターセンサ２２およびキャリーセンサ９１を、待機状態で係合機構１００が正常に係合していない状態を検知する係合異常検知手段として用いることができる。
【００４３】
また、本実施形態では、上記係合異常検知手段で係合異常を検知した際に、係合機構１００の係合動作をやり直す係合やり直し手段としての係合制御部２００が設けられる。この係合制御部２００は、スタックアーム７７を移動制御するスタックモータを制御するようになっている。尚、スタックモータは図示省略してあり、それの回転中心軸Ｃのみを図示してある。
【００４４】
即ち、係合機構１００が係合異常であると判断した場合に、スタックモータを停止した後に再度正転させてスタックアーム７７およびリフトテーブル７１を移動する。これにより、突起部７７ｂを受部７１ａから一旦離して、係合機構１００の係合開始以前の状態まで移動する係合解除動作が行われる。この時点でキャリーセンサ９１がＯＦＦされる。
【００４５】
その後、スタックモータを停止してスタックアーム７７を移動停止し、次に、上述したスタックモータの再度正転時からキャリーセンサ９１がＯＦＦされるまでの時間分だけスタックモータを逆転させ、その後に停止する。これにより、上記係合解除動作でスタックアーム７７を移動した分だけリフトテーブル７１を係合機構１００の係合方向に戻す再係合動作を行うことができる。
【００４６】
このように構成された本実施形態の紙幣処理装置１の機能を以下に述べる。  紙幣投入口２に挿入された紙幣が、図示しないセンサによって検出されると、図示しないモータ等の搬送駆動手段によって、搬送ベルト３１および搬送ローラ３２が図示矢印方向に駆動し、紙幣は紙幣搬送路４に沿って紙幣処理装置１内部に搬送される。
【００４７】
紙幣搬送路４を通過する紙幣は、紙幣搬送路４の途中に設けられる紙幣識別部５において、図示しない紙幣識別手段によって真偽が判別される。ここで、紙幣が偽券と判断された場合は、その判定信号に基づいて、搬送ベルト３１および搬送ローラ３２が逆転し、偽券と判断された紙幣を紙幣投入口２から返却される。
【００４８】
紙幣識別部５において真券と判断された紙幣は、紙幣搬送手段３によって紙幣搬送路４の更に下流へ搬送され、収納待機位置における一対のスタックガイド９の図示しないスリットによって、紙幣の長手方向側縁を把持されながら収納待機位置に達する。
【００４９】
紙幣が収納待機位置に達すると、紙幣停止位置制御手段６が、搬送紙幣の位置を検出する図示しないセンサからの情報に基づいて、紙幣搬送手段３の動作を制御し、紙幣を収納待機位置に停止させる。そして、搬送紙幣が収納待機位置に停止している状態において、図示しない自動販売機の商品の購入が可能になる。
【００５０】
なお、搬送紙幣が紙幣搬送路４内を搬送されて収納待機位置に到達するまでの間、紙幣収納手段７はその作動を停止し、図１に示した初期位置に待機した状態を維持している。この際、スタックアーム７７の突起部７７ｂは  リフトテーブル７１の受部７１ａに係合しているので、リフトテーブル７１の上下方向の動作はロックされた状態が維持される。
【００５１】
商品が購入されると、紙幣収納手段７の図示しないスタックモータが駆動してモーターカム７８を回転させ、そのモーターカム７８に連動してスタックアーム７７が図示右方に移動開始する。
【００５２】
スタックアーム７７が図示右方にスライド移動すると、スタックアーム７７の突起部７７ｂが、リフトテーブル７１の受部７１ａから抜けて（係合解除）、リフトテーブル７１のロックが解除され、図２に示すように、スタックアーム７７の傾斜面７７ａがスタックローラ７６に当接する。
【００５３】
更に、スタックアーム７７が図示右方にスライド移動すると、スタックアーム７７の傾斜面７７ａがスタックローラ７６を押圧し、スタックローラ７６が下方に移動することによって、リフトテーブル７１が引張スプリング７９の引張力に抗して下方に移動する。
【００５４】
紙幣の上面がリフトテーブル７１に当接し、紙幣がリフトテーブル７１によって下方に押圧されると、紙幣の長手方向側縁部がスタックガイド９によって湾曲され、更にリフトテーブル７１が下方に移動してスタックプレート８２に達すると、紙幣をリフトテーブル７１とスタックプレート８２とによって押圧挟持しながら移動を継続し、紙幣の長手方向側縁がスタックガイド９から外れて、紙幣全体がスタッカー８１内に押し込まれる。
【００５５】
紙幣の移動が更に継続し、図３に示すスタックアーム７７およびリフトテーブル７１の最大移動位置まで到達すると、スタックアーム７７は最大移動位置から逆行を開始して図示左方にスライド移動する。すると、スタックローラ７６の下方への押圧力の減少と相俟って、引張スプリング７９の引張力によってリフトテーブル７１は上方に移動する。
【００５６】
紙幣は、リフトテーブル７１とスタックプレート８２とによって押圧挟持されながら上方に移動し、再度スタックガイド９に達すると、紙幣の長手方向側縁部の上面がスタックガイド９の下面に当接する。すると、紙幣およびスタックプレート８２は移動を停止し、紙幣はスタックプレート８２によってスタックガイド９に押し付けられた状態でスタッカー８１内に収納される。
【００５７】
その後、スタックアーム７７の傾斜面７７ａがスタックローラ７６から離れると、リフトテーブル７１はスタックガイド９のより上方の初期位置に復帰する（図２参照）。
【００５８】
更に、スタックアーム７７が図示左方にスライド移動すると、スタックアーム７７の突起部７７ｂが、リフトテーブル７１の受部７１ａに係合し、リフトテーブルの上下動作がロックされて、紙幣収納手段７は、図１に示す初期位置に復帰する。
以上説明した紙幣処理装置１による紙幣の受入から収納までの流れは、図５のフローチャートを用いて説明することができる。
【００５９】
即ち、このフローチャートでは、先ず、紙幣の挿入（ステップＳ１）を図示しない入口センサで検知したら（ステップＳ２）、搬送モータを正転させて（ステップＳ２）、紙幣を受入搬送する。そして、搬送中に識別センサで識別データを取得して（ステップＳ４）、所定の処理をする（ステップＳ５）。その間も紙幣の搬送を継続し、紙幣が識別センサを通過したら（ステップＳ６）、搬送モータを停止して（ステップＳ７）、紙幣を一時保留位置に停止させる。
【００６０】
上記取得した識別データの処理から紙幣の真偽および金種を判別し（ステップＳ８）、真券であれば真券信号を出力し（ステップＳ１０）、エスクロ処理に移行する（ステップＳ１１）。そして、収金信号を入力したら（ステップＳ１２）、搬送モータを再度正転させて紙幣を上記一時保留位置から収納位置へと搬送する（ステップＳ１３）。
【００６１】
その後、スタック処理（紙幣収納処理）に移行して上記収納位置で紙幣を停止させ（ステップＳ１４）、紙幣収納機構を動作させて紙幣を収納庫へ収納し、紙幣収納機構が待機位置に戻ったら動作を終了する（ステップＳ１５）。
【００６２】
このとき、ステップＳ９で偽札と判定したら紙幣返却処理し（ステップＳ１６）、搬送モータを逆転させて投入口から偽札を返却して終了する（ステップＳ１７）。
【００６３】
図６は、図５に示したフローチャートのスタック処理が正常に行われる場合のルーチンを示すフローチャートで、このスタック処理の正常動作の流れを以下に説明する。
【００６４】
即ち、収金信号を受信することによりスタック処理が開始され（ステップＳ２０）、スタックモータを正転させて（ステップＳ２１）、スタックアーム７７を駆動させる。スタックアーム７７のスライド運動に伴ってリフトテーブル７１が移動を始め、リフトテーブル７１の移動に伴ってキャリーセンサ９１がＯＮからＯＦＦとなる（ステップＳ２２、Ｓ２３）。このとき、キャリーセンサ９１がＯＦＦとなった場合にタイマーをセットする（ステップＳ２４）。
【００６５】
一方、スタックアーム７７のスライド運動に、紙幣投入口２に配したシャッター２１が連動し、スタックアーム７７の移動でシャッター２１が投入口２および搬送路４を閉塞する。このとき、シャッター２１による投入口２および搬送路４の開通若しくは閉塞はシャッターセンサ２２で判断される。
【００６６】
即ち、スタックアーム７７の動作に伴ってリフトテーブル７１とシャッター２１が動作し、同時にキャリーセンサ９１およびシャッターセンサ２２がそれぞれＯＮからＯＦＦとなって、リフトテーブル７１とシャッター２１のそれぞれの動作を判断する（ステップＳ２５）。このとき、シャッターセンサ２２がＯＦＦとなることによりタイマーをセットする（ステップＳ２６）。
【００６７】
そして、キャリーセンサ９１とシャッターセンサ２２のそれぞれで、センサ状態が変化してから元に戻るまでの時間が所定時間内か否かが判断される（ステップＳ２７、Ｓ２８）。これにより、スタックアーム７７が動作開始してから待機状態に戻った時に、リフトテーブル７１が待機状態に戻ったか否かを判断することができる。
【００６８】
スタックアーム７７とリフトテーブル７１が待機状態であれば、スタック処理が正常であると判断することができる。その後、スタックモータを停止して（ステップＳ２９）、紙幣収金が終了される（ステップＳ３０）。
【００６９】
図７は、図５に示したフローチャートのスタック処理が異常となって補正動作する場合のルーチンを示すフローチャートで、このスタック処理の補正動作の流れを以下に説明する。本フローチャートでは、係合機構１００の突起部７７ｂが受部７１ａに乗り上げた係合異常の場合の補正動作で、係合制御部２００により係合機構１００を再係合させるようになっている。
【００７０】
尚、この補正動作するルーチンでは、図６に示したフローチャートのステップＳ２０〜Ｓ２９と同じ処理が実行され、それら同じ処理部分に同一ステップ符号を付して、重複する説明を省略するものとする。
【００７１】
また、ステップＳ２０〜Ｓ２９を処理する際に、ステップＳ２３では、リフトテーブル７１が待機位置に戻る辺りで衝撃が加わると、前述したように突起部７７ｂが受部７１ａに乗り上げてリフトテーブル７１が下降しないため、キャリーセンサ９１がＯＦＦしない（図中Iで示す）。また、ステップＳ２６〜Ｓ２９では、シャッター２１で待機位置を検出し、スタックモータを停止する（図中IIで示す）。
【００７２】
そして、ステップＳ３１〜Ｓ４０は、補正動作を行うためのルーチンで、スタックモータを逆転して受部７１ａに乗り上げている突起部７７ｂを外し、外れればキャリーセンサ９１がＯＦＦする。そして、搬送路４のモータを停止した後、突起部７７ｂを外すために移動した分だけスタックモータを正転させて、係合機構１００の係合をやり直し、突起部７７ｂと受部７１ａとを正常に係合させることになる（図中IIIで示す）。
【００７３】
即ち、ステップＳ２０〜Ｓ２９を処理した後の補正動作は、キャリーセンサ９１がＯＮである場合に（ステップＳ３１）、タイマー計測を開始し（ステップＳ３２）、スタックモータを逆転する（ステップＳ３３）。そして、キャリーセンサ９１がＯＦＦになると（ステップＳ３４）、タイマー計測を停止し（ステップＳ３５）、スタックモータを停止する（ステップＳ３６）。これにより、スタックアーム７７が戻されて突起部７７ｂを受部７１ａから外すことができる。
【００７４】
次に、タイマーの計測値を減算タイマーに代入した後（ステップＳ３７）、スタックモータを正転させ（ステップＳ３８）、減算タイマーが０になった時点で（ステップＳ３９）、スタックモータを停止する（ステップＳ４０）。これにより、スタックアーム７７は、戻した分だけ移動して係合機構１００の係合動作をやり直すことができる。
【００７５】
そして、突起部７７ｂと受部７１ａとが正常に係合した時点で、リフトテーブル７１は正常な待機状態となり、紙幣収金が完了される（ステップＳ４１）。  従って、本実施形態の係合制御部２００では、リフトテーブル７１を突起部７７ｂと受部７１ａの係合開始以前の状態まで移動する係合解除動作と、係合解除動作で移動した分だけリフトテーブル７１を、突起部７７ｂと受部７１ａを係合方向に戻す再係合動作と、が行われることになる。
【００７６】
以上説明したように、本実施形態の紙幣処理装置１によれば、スタックアーム７７に突起部７７ｂを設け、かつ、リフトテーブル７１に受部７１ａを設け、これら突起部７７ｂと受部７１ａとからなる係合機構１００を待機状態で係合させるようになっている。これにより、スタックアーム７７とリフトテーブル７１とを機械的に連結でき、リフトテーブル７１の待機位置が、外部からの衝撃によって移動してしまうのを阻止できる。
【００７７】
また、このように係合機構１００を設けた場合に、シャッターセンサ２２およびキャリーセンサ９１を用いた係合異常検知手段を設けて、待機状態で係合機構１００が正常に係合していない状態を検知する。また、係合制御部２００を設けて、上記係合異常検知手段で係合異常を検知した際に、係合機構１００の係合動作をやり直すようになっている。
【００７８】
これにより、係合機構１００が係合開始される際に、外部から何らかの衝撃が加わって突起部７７ｂが受部７１ａに乗り上げ、係合機構１００の係合が正常に行われなかった場合にも、係合機構１００の係合動作をやり直すことにより正常に係合させて、待機状態においてリフトテーブル７１を所定位置に維持できる。
【００７９】
また、本実施形態によれば、係合やり直し手段としての係合制御部２００は、リフトテーブル７１を係合機構１００の係合開始以前の状態まで移動する係合解除動作と、この係合解除動作で移動した分だけリフトテーブル７１を係合機構１００の係合方向に戻す再係合動作と、が行われるようになっている。これにより、係合解除動作によって係合機構１００の突起部７７ｂと受部７１ａとを衝撃が加わる以前の位置まで戻すことができるので、次の再係合動作は衝撃が加わらない状態で行うことができ、係合機構１００を簡単かつ確実に正常に係合させることができる。
【００８０】
ところで、本実施形態の紙幣処理装置１は前記実施形態に例をとって説明したが、これに限ることなく本発明の要旨を逸脱しない範囲で各種変更が可能である。例えば、本実施形態では、紙幣の搬送路４を水平方向に配置してリフトテーブル７１を鉛直方向に移動させてあるが、リフトテーブル７１の移動方向は搬送路４に対して垂直方向で有ればよく、例えば、搬送路４を鉛直方向に配置し、リフトテーブル７１を水平方向に移動させてもよい。
【産業上の利用可能性】
【００８１】
本発明は、自動販売機やゲーム機器および預金機等の紙幣を扱う装置に用いることができる。
【符号の説明】
【００８２】
１    紙幣処理装置
２    紙幣投入口
２１  シャッター
２２  シャッターセンサ（係合異常検知手段）
３    紙幣搬送手段
４    紙幣搬送路
５    紙幣識別部
６    紙幣停止位置制御手段
７    紙幣収納手段
７１  リフトテーブル
７１ａ  受部
７２  リンク機構
７３  駆動部
７６  スタックローラ
７７  スタックアーム
７７ｂ  突起部
７９  引張スプリング（付勢手段）
８    紙幣収納部
９１  キャリーセンサ（係合異常検知手段）
１００  係合機構
２００  係合制御部（係合やり直し手段）
【図１】
0005889711.tif 000002
【図２】
0005889711.tif 000003
【図３】
0005889711.tif 000004
【図４】
0005889711.tif 000005
【図５】
0005889711.tif 000006
【図６】
0005889711.tif 000007
【図７】
0005889711.tif 000008